(57)【要約】【課題】乾電池を使用する機器の器体内に、器体の前面パネルに開設した出入口を通して前方に引出し自在に収納される乾電池ケースであって、乾電池を受け入れるケース本体５と、出入口に嵌まる蓋板とを備えるものにおいて、蓋板のデザインが異なる複数種の乾電池ケースを低コストで製造できるようにする。【解決手段】ケース本体５に複数種の蓋板６Ａ，６Ｂを付け替え自在とする。好ましくは、ケース本体５と各蓋板６Ａ，６Ｂとの一方と他方に夫々雌型連結部７と雄型連結部８とを突設し、雌型連結部７に雄型連結部８を差し込むだけでケース本体５に各蓋板６Ａ，６Ｂを連結できるようにする。また、雄型連結部８は、爪片８１とその両側に位置するガイド片８２とを備えるものとし、雌型連結部７に対する雄型連結部８の遊びをガイド片８２で除去する。【選択図】図３
2008066154.tif 000002
【特許請求の範囲】
【請求項１】
乾電池を使用する機器の器体内に、器体の前面パネルに開設した出入口を通して前方に引出しに自在に収納される乾電池ケースであって、乾電池を受け入れるケース本体と、ケース本体の前方に位置し、器体内に乾電池ケースを収納したときに出入口に嵌まる蓋板とを備えるものにおいて、
複数種の蓋板が用意され、ケース本体にこれら複数種の蓋板が付け替え自在であることを特徴とする乾電池ケース。
【請求項２】
前記ケース本体の前端面と前記蓋板の背面との一方と他方に夫々雌型連結部と雌型連結部に挿入される雄型連結部とが突設され、雌型連結部は断面長方形の内部空間を有する角筒状に形成され、雌型連結部の断面形状の長辺に沿う方向をＸ軸方向、短辺に沿う方向をＹ軸方向として、雄型連結部は、Ｘ軸方向中間に位置し、雌型連結部に形成した係合部に係合して雄型連結部を雌型連結部に対し抜け止めする先端の爪部を有する爪片と、Ｘ軸方向両側に位置し、雌型連結部内のＸ軸方向一端と他端の各端面及びＹ軸方向に対向する両側面に摺接する一対のガイド片とを備えることを特徴とする請求項１記載の乾電池ケース。
【請求項３】
前記雌型連結部と前記雄型連結部とがＹ軸方向に離隔させて各一対に設けられていることを特徴とする請求項２記載の乾電池ケース。
【発明の詳細な説明】
【技術分野】
【０００１】
本発明は、乾電池を使用するガスコンロ等の機器に設けられる乾電池ケースに関する。
【背景技術】
【０００２】
従来、乾電池を使用する機器の器体内に、器体の前面パネルに開設した出入口を通して前方に引出しに自在に収納される乾電池ケースは知られている（例えば、特許文献１参照）。この乾電池ケースは、乾電池を受け入れるケース本体と、ケース本体の前方に位置し、器体内に乾電池ケースを収納したときに出入口に嵌まる蓋板とを備えている。そして、ケース本体と蓋板とは樹脂で一体成形されている。
【０００３】
ところで、器体前面のデザインが異なる複数機種の機器を製造する場合、前面のデザインに合わせて乾電池ケースの蓋板のデザインも各機種毎に変えることが望まれる。ここで、上記従来例のようにケース本体と蓋板とが一体成形される場合は、蓋板のデザインを変更すると、ケース本体の変更がなくても乾電池ケース全体を新たに作り直すことが必要になり、製造コストが高くなる。
【特許文献１】特開平１１−２３３０８３号公報
【発明の開示】
【発明が解決しようとする課題】
【０００４】
本発明は、以上の点に鑑み、蓋板のデザインが異なってもケース本体を共用することで製造コストを安くできるようにした乾電池ケースを提供することをその課題としている。
【課題を解決するための手段】
【０００５】
上記課題を解決するために、本発明は、乾電池を使用する機器の器体内に、器体の前面パネルに開設した出入口を通して前方に引出しに自在に収納される乾電池ケースであって、乾電池を受け入れるケース本体と、ケース本体の前方に位置し、器体内に乾電池ケースを収納したときに出入口に嵌まる蓋板とを備えるものにおいて、複数種の蓋板が用意され、ケース本体にこれら複数種の蓋板が付け替え自在であることを特徴とする。
【０００６】
本発明によれば、ケース本体に各種蓋板を取付けることにより、蓋板のデザインが異なる複数種の乾電池ケースを製造することができる。そして、ケース本体は共用部品となり、製造コストの削減を図ることができる。
【０００７】
ここで、ケース本体に複数種の蓋板を付け替え自在とするため、ケース本体の前端に蓋板をねじで連結することも考えられるが、これではねじ止め作業が必要になって乾電池ケースの組み立てに手間がかかる。そのため、本発明においては、ケース本体の前端面と蓋板の背面との一方と他方に夫々雌型連結部と雌型連結部に挿入される雄型連結部とが突設され、雌型連結部は断面長方形の内部空間を有する角筒状に形成され、雌型連結部の断面形状の長辺に沿う方向をＸ軸方向、短辺に沿う方向をＹ軸方向として、雄型連結部は、Ｘ軸方向中間に位置し、雌型連結部に形成した係合部に係合して雄型連結部を雌型連結部に対し抜け止めする先端の爪部を有する爪片と、Ｘ軸方向両側に位置し、雌型連結部内のＸ軸方向一端と他端の各端面及びＹ軸方向に対向する両側面に摺接する一対のガイド片とを備えることが望ましい。これによれば、雌型連結部に雄型連結部を差し込むだけでケース本体の前端に蓋板を連結でき、乾電池ケースの組み立てが容易になる。
【０００８】
ところで、爪片は、係合部に爪部を係合させるために、雌型連結部内で弾性的に撓み得るように形成される。そのため、雄型連結部が爪片だけで構成されていると、雄型連結部が雌型連結部に対し爪片の撓み分だけ動き得るようになり、蓋板がケース本体に対しぐらつく。これに対し、雄型連結部に上記の如く一対のガイド片を設けておけば、雌型連結部に対する雄型連結部のＸ軸方向及びＹ軸方向の動きが確実に防止され、蓋板はケース本体にぐらつくことなくしっかりと固定される。
【０００９】
尚、雌型連結部はその断面形状の短辺に沿う方向（Ｙ軸方向）の曲げ剛性が低くなるため、蓋板のＹ軸方向の支持剛性が不足する可能性がある。この場合、雌型連結部と雄型連結部とがＹ軸方向に離隔させて各一対に設けられていれば、蓋板のＹ軸方向の支持剛性を向上でき、有利である。
【発明を実施するための最良の形態】
【００１０】
図１、図２は夫々機種の異なるガスコンロを示している。図１のガスコンロと図２のガスコンロは共に左右２個のコンロバーナ２，２と横方向中間のグリル３と後述する乾電池ケース４とを備えているが、ガスコンロの器体前面のデザインが異なる。即ち、図１のガスコンロの器体１の前面パネル１１には、グリル３の右側に位置させて、角形の押しボタンから成るコンロバーナ２，２用の２個の操作子１２Ａ，１２Ａが左右に隙間無く隣接するように配置され、グリル３の左側に位置させて、操作子１２Ａと同形状のグリル３用の操作子１３Ａとこの操作子１３Ａを模した形状の乾電池ケース４用の蓋板６Ａとが左右に隙間無く隣接するように配置されている。一方、図２のガスコンロの器体１の前面パネル１１には、グリル３の右側に位置させて、丸みを帯びた形状の押しボタンから成るコンロバーナ２，２用の２個の操作子１２Ｂ，１２Ｂが左右に離隔して配置され、グリル３の左側に位置させて、操作子１２Ｂと同形状の押しボタンから成るグリル３用の操作子１３Ｂと乾電池ケース４用の蓋板６Ｂとが左右に離隔して配置されている。また、蓋板６Ｂは、その大部分が前面パネル１１の斜め後ろ下方傾斜する下部領域に収まるように形成され、上方から見たときに蓋板６Ｂが目立たないようにしている。
【００１１】
乾電池ケース４は、前面パネル１１の所定箇所に開設した出入口１４を通して前面パネル１１の前方に引出し自在となるように器体１内に収納される。図３に示すように、乾電池ケース４は、乾電池（図示せず）を受け入れる樹脂製のケース本体５と、ケース本体５の前方に位置し、器体１内に乾電池ケース４を収納したときに出入口１４に嵌まる樹脂製の蓋板とを備える。ケース本体５の後端部と前端部には、図示省略したが、乾電池のマイナスとプラスの各電極に接する端子が装着される。
【００１２】
ここで、本実施形態では、蓋板として図１に示す機種用の蓋板６Ａと図２に示す機種用の蓋板６Ｂとを用意し、ケース本体５にこれら蓋板６Ａ，６Ｂを付け替え自在としている。これによれば、ケース本体５に各種蓋板６Ａ，６Ｂを取付けることにより、蓋板のデザインが異なる複数種の乾電池ケース４を製造することができる。従って、複数種の乾電池ケース４で一種類のケース本体５を共用することが可能になり、製造コストの削減を図ることができる。
【００１３】
尚、ケース本体５には、乾電池ケース４を器体１内の所定の収納位置に係止するためのストッパ部（図示せず）が形成されると共に、ストッパ部を操作するためのレバー部５１がケース本体５の前方にのびるように一体成形されている。また、各蓋板６Ａ，６Ｂにはレバー部５１が挿通される穴６１が形成されている。そして、レバー部５１を指で押し上げた状態で蓋板６Ａ，６Ｂを手前に引くことにより、乾電池ケース４が器体１の前方に引き出されるようにしている。
【００１４】
ところで、ケース本体５に蓋板６Ａ，６Ｂを付け替え自在とするため、ケース本体５の前端に各蓋板６Ａ，６Ｂをねじで連結することも考えられる。然し、これではねじ止め作業が必要になって乾電池ケース４の組み立てに手間がかかる。そこで、本実施形態においては、ケース本体５の前端面に断面長方形の内部空間を有する角筒状の雌型連結部７を突設すると共に、各蓋板６Ａ，６Ｂの背面に雄型連結部８を突設し、雌型連結部７に雄型連結部８を差し込むだけでケース本体５に各蓋板６Ａ，６Ｂを簡単に連結できるようにしている。
【００１５】
以下、雌型連結部７の断面形状の長辺に沿う方向をＸ軸方向、短辺に沿う方向をＹ軸方向として、雌型連結部７と雄型連結部８について図４も参照して詳述する。尚、本実施形態では、Ｘ軸方向が上下方向、Ｙ軸方向が左右方向になるように雌型連結部７が形成されているが、Ｘ軸方向が左右方向、Ｙ軸方向が上下方向になるように雌型連結部７を形成することも可能である。
【００１６】
雌型連結部７はケース本体５の前端面にＹ軸方向に離隔させて一対に突設され、雄型連結部８も各蓋板６の背面にＹ軸方向に離隔させて一対に突設されている。各雌型連結部７のＹ軸方向外側の側壁のケース本体５寄りの部分にはＸ軸方向に長手の長孔７１が形成されている。そして、この側壁の内面に、長孔７１の前縁に沿わせて、Ｙ軸方向内方に膨出する係合部７２が形成されている。尚、長孔７１は、係合部７２の後端面を成形する型の型抜きの関係で形成されており、長孔７１自体は後述する爪部８１ａが係合する係合部として機能しない。但し、側壁の内面にＹ軸方向内方に膨出する部分を形成せずに、長孔７１の前縁を係合部としてこれに爪部８１ａを係合させることも可能である。
【００１７】
各雄型連結部８は、Ｘ軸方向中間に位置する爪片８１と、Ｘ軸方向両側に位置する一対のガイド片８２，８２とを備える。爪片８１の先端には上記係合部７２に係合する爪部８１ａが形成されている。そして、係合部７２への爪部８１ａの係合により、雌型連結部７に対し雄型連結部８が抜け止めされる。各ガイド片８２には、Ｘ軸方向外側の側縁部からＹ軸方向内方に張り出すフランジ部８２ａが形成されている。そして、各ガイド片８２が雌型連結部７内のＸ軸方向一端と他端の各端面にフランジ部８２ａのＸ軸方向外側の面で摺接する。更に、各ガイド片８２は雌型連結部７内のＹ軸方向に対向する両側面に各ガイド片８２のＹ軸方向外側の面とフランジ部８２ａのＹ軸方向内側の面とにおいて摺接する。
【００１８】
ここで、爪片８１は、雌型連結部７に雄型連結部８を挿入したときに爪部８１ａが係合部７２を乗り越えてこれに係合するように、雌型連結部７内でＹ軸方向に弾性的に撓み得るように形成される。そして、雄型連結部８が爪片８１だけで構成されていると、雄型連結部８が雌型連結部７に対し爪片８１の撓み分だけ動き得るようになり、蓋板６Ａ，６Ｂがケース本体５に対しぐらつく。一方、本実施形態では、雄型連結部８に上記の如く一対のガイド片８２，８２が設けられているため、雌型連結部７に対する雄型連結部８のＸ軸方向及びＹ軸方向の動きが確実に防止される。
【００１９】
また、雌型連結部７はその断面形状の短辺に沿う方向（Ｙ軸方向）の曲げ剛性が低くなるため、蓋板６Ａ，６ＢのＹ軸方向の支持剛性が不足する可能性がある。然し、本実施形態では、雌型連結部７と雄型連結部８とがＹ軸方向に離隔させて各一対に設けられているため、蓋板６Ａ，６ＢのＹ軸方向の支持剛性も十分に確保される。
【００２０】
従って、ケース本体５に蓋板６Ａ，６Ｂを付け替え自在とするにも拘らず、蓋板６Ａ，６Ｂはケース本体５にぐらつくことなくしっかりと固定される。そのため、乾電池ケース４を引き出す際に蓋板６Ａ，６Ｂのぐらつきで使用者に不安感を与えたり、乾電池ケース４を収納する際に蓋板６Ａ，６Ｂのぐらつきで出入口１４の周縁に蓋板６Ａ，６Ｂが干渉するといった不具合は生じない。
【００２１】
以上、本発明の実施形態について図面を参照して説明したが、本発明はこれに限定されない。例えば、上記実施形態では、ケース本体５の前端面に雌型連結部７を突設し、蓋板６Ａ，６Ｂの背面に雄型連結部８を突設しているが、ケース本体５の前端面に雄型連結部８を突設し、蓋板６Ａ，６Ｂの背面に雌型連結部７を突設しても良い。また、上記実施形態は、ガスコンロに設けられる乾電池ケース４に本発明を適用したものであるが、乾電池を使用するガスコンロ以外の機器に設けられる乾電池ケースにも同様に本発明を適用できる。
【図面の簡単な説明】
【００２２】
【図１】本発明の実施形態の乾電池ケースを具備するガスコンロの一例を示す斜視図。
【図２】実施形態の乾電池ケースを具備する図１とは異なる機種のガスコンロを示す斜視図。
【図３】実施形態の乾電池ケースのケース本体と複数種の蓋板とを示す斜視図。
【図４】実施形態の乾電池ケースの分解状態の要部の斜視図。
【符号の説明】
【００２３】
１…器体、１１…前面パネル、１４…出入口、４…乾電池ケース、５…ケース本体、６…蓋板、７…雌型連結部、７２…係合部、８…雄型連結部、８１…爪片、８１ａ…爪部、８２…ガイド片。
【図１】
2008066154.tif 000003
【図２】
2008066154.tif 000004
【図３】
2008066154.tif 000005
【図４】
2008066154.tif 000006